【事件の表示】
　特願２０１４−　７３６４４「サッシ構造」拒絶査定不服審判事件〔平成２７年１１月　９日出願公開、特開２０１５−１９６９４４、請求項の数（４）〕について、次のとおり審決する。
【結　論】
　原査定を取り消す。
　本願の発明は、特許すべきものとする。
【理　由】
第１　手続の経緯 
　本願は、平成２６年３月３１日の出願であって、平成２８年７月２２日付けで拒絶理由通知がされ、平成２８年９月２１日付けで意見書及び手続補正書が提出され、平成２８年１１月７日付けで拒絶理由通知（最後）がされ、平成２９年１月２３日付けで意見書及び手続補正書が提出され、平成２９年３月１５日付けで平成２９年１月２３日付けの手続補正が却下されるとともに拒絶査定（原査定）がされ、これに対し、平成２９年６月２８日に拒絶査定不服審判の請求がされると同時に手続補正がされ、平成３０年６月２９日付けで拒絶理由通知（以下、「当審拒絶理由通知」という。）がされ、平成３０年８月３１日付けで意見書及び手続補正書が提出されたものである。 
  
第２　補正の却下の決定及び原査定の概要 
　１　平成２９年３月１５日付けの補正の却下の決定の概要は以下のとおりである。 
　平成２９年１月２３日付けの請求項１及び請求項１を引用する請求項２〜５についての補正は、特許請求の範囲の限定的減縮を目的とするものであるが、当該補正後の本願請求項１及び請求項１を引用する請求項２〜５に係る発明は、下記引用文献Ａ〜Ｄに記載された発明に基いて、その発明の属する技術の分野における通常の知識を有する者（以下、「当業者」という。）が容易に発明できたものであり、独立特許要件を満たさないから、平成２９年１月２３日付けの補正は却下すべきものである。 
  
　引用文献： 
　Ａ．特許第３５４６１７８号公報 
　Ｂ．特開２００１−４０９５５号公報
　Ｃ．特開２００１−５５８６９号公報
　Ｄ．特開２０１４−９４９４号公報
　２　原査定（平成２９年３月１５日付け拒絶査定）の概要は次のとおりである。 
　本願請求項１〜４に係る発明は、上記引用文献Ａに記載された発明であるから、特許法第２９条第１項第３号に該当し特許を受けることができないものであり、また、本願請求項４及び５は、上記引用文献Ａ，Ｃ，Ｄに記載された発明に基いて、当業者が容易に発明できたものであるから、特許法第２９条第２項の規定により特許を受けることができない。 
  
第３　当審拒絶理由の概要 
　当審の拒絶理由（新規性・進歩性）の概要は次のとおりである。 
  
　本願請求項１〜３に係る発明は、引用文献１に記載された発明であるから、特許法第２９条第１項第３号に該当し特許を受けることができないものであり、または、本願請求項１〜４に係る発明は、引用文献１〜３に記載された発明に基いて、当業者が容易に発明できたものであるから、特許法第２９条第２項の規定により特許を受けることができない。  
　引用文献： 
　１．特許２００２−１８０７６６号公報
　２．特開２００６−１３２２１０号公報
　３．特開２００１−５５８６９号公報
第４　本願発明 
　本願請求項１〜４に係る発明（以下、それぞれ「本願発明１」〜「本願発明４」という。）は、平成３０年８月３１日付けの手続補正書で補正された特許請求の範囲の請求項１〜４に記載された事項により特定される発明であり、本願発明１〜４は以下のとおりの発明である。 
  
　「【請求項１】
　開口部に設けられたサッシ枠と、該サッシ枠に引き違い状にスライド可能に支持される室外側サッシ障子および室内側サッシ障子を備えるサッシ障子と、を有するサッシ構造において、
　前記サッシ枠は、前記開口部を閉鎖している状態の前記室外側サッシ障子の戸先框と近接して対向する第１枠部と、前記開口部を閉鎖している状態の前記室内側サッシ障子の戸先框と近接して対向する第２枠部と、を有し、
　前記第１枠部および前記第２枠部は、それぞれ金属枠と、該金属枠を覆う樹脂枠と、を有し、
　前記室外側サッシ障子の前記戸先框および前記室内側サッシ障子の前記戸先框は、それぞれ金属框と、該金属框の室内側の面を覆う樹脂カバーと、を有し、
　前記開口部を閉鎖している状態の前記室外側サッシ障子における前記戸先框の前記金属框と、前記第１枠部の前記金属枠との間、および前記開口部を閉鎖している状態の前記室内側サッシ障子における前記戸先框の前記金属框と、前記第２枠部の前記金属枠との間のそれぞれには、パッキンが配置され、
　前記開口部を閉鎖している状態の前記室外側サッシ障子の前記戸先框の前記樹脂カバーおよび前記第１枠部の前記樹脂枠には、それぞれの少なくとも一部に前記パッキンよりも室内側において所定の間隔をあけて互いに対向する第１対向面が形成され、
　前記第１枠部の第１対向面および前記室外側サッシ障子の第１対向面の少なくとも一方の第１対向面には、他方の第１対向面側へ突出する第１ヒレ部が設けられ、
　前記開口部を閉鎖している状態の前記室内側サッシ障子の前記戸先框の前記樹脂カバーおよび前記第２枠部の前記樹脂枠には、それぞれの少なくとも一部に前記パッキンよりも室内側において所定の間隔をあけて互いに対向する第２対向面が形成され、
　前記第２枠部の第２対向面および前記室内側サッシ障子の第２対向面の少なくとも一方の第２対向面には、他方の第２対向面側へ突出する第２ヒレ部が設けられ、
　前記第１ヒレ部は、前記開口部を閉鎖している状態の前記室外側サッシ障子の第１対向面と前記第１枠部の第１対向面との間のみに位置し、第１基端部と第１先端部との間に第１屈曲部を有し、前記第１屈曲部よりも前記第１先端部までの部分が前記第１屈曲部よりも前記一方の第１対向面側に位置するように屈曲するとともに、前記室外側サッシ障子が前記開口部を閉鎖している状態において、前記一方の第１対向面と前記他方の第１対向面との間の空気の流入を抑制し、
　前記第２ヒレ部は、前記開口部を閉鎖している状態の前記室内側サッシ障子の第２対向面と前記第２枠部の第２対向面との間のみに位置し、第２基端部と第２先端部との間に第２屈曲部を有し、前記第２屈曲部よりも前記第２先端部までの部分が前記第２屈曲部よりも前記一方の第２対向面側に位置するように屈曲するとともに、前記室内側サッシ障子が前記開口部を閉鎖している状態において、前記一方の第２対向面と前記他方の第２対向面との間の空気の流入を抑制することを特徴とするサッシ構造。
　【請求項２】
　前記開口部を閉鎖している状態の前記室外側サッシ障子の第１対向面と前記第１枠部の第１対向面との間には、室内空間と連続する第１隙間が形成され、
　前記第１ヒレ部は、前記第１枠部の第１対向面に設けられて、前記第１隙間に配置され、前記第１先端部が前記第１基端部よりも見付方向における前記第１枠部の前記金属枠に近い側に位置し、
　前記開口部を閉鎖している状態の前記室内側サッシ障子の第２対向面と前記第２枠部の第２対向面との間には、室内空間と連続する第２隙間が形成され、
　前記第２ヒレ部は、前記第２枠部の第２対向面に設けられて、前記第２隙間に配置され、前記第２先端部が前記第２基端部よりも見付け方向における前記第２枠部の前記金属枠に近い側に位置していることを特徴とする請求項１に記載のサッシ構造。
　【請求項３】
　前記室外側サッシ障子の前記戸先框の前記第１対向面は、前記室外側サッシ障子の前記戸先框の室内側の端部近傍に配置され、前記第１枠部の前記第１対向面は、前記第１枠部における前記室外側サッシ障子の前記戸先框よりも室内側に位置する部分に配置されて、前記室内側サッシ障子の前記戸先框の前記第２対向面は、前記室内側サッシ障子の前記戸先框の室内側の端部近傍に配置され、前記第２枠部の前記第２対向面は、前記第２枠部における前記室内側サッシ障子の前記戸先框よりも室内側に位置する部分に配置されていることを特徴とする請求項１または２に記載のサッシ構造。
　【請求項４】
　前記第１ヒレ部は、前記室外側サッシ障子が前記開口部を閉鎖している状態において、前記他方の第１対向面と一定の間隔をあけるように配置され、前記第２ヒレ部は、前記室内側サッシ障子が前記開口部を閉鎖している状態において、前記他方の第２対向面と一定の間隔をあけるように配置されていることを特徴とする請求項１乃至３のいずれか一項に記載のサッシ構造。」 
  
第５　引用文献、引用発明等
　１　引用文献１について　
　当審拒絶理由通知において引用された引用文献１には、図面とともに次の事項が記載されている。
「【０００１】
【発明の属する技術分野】本発明は、窓開口部に装着される窓枠内に一対の引き違い障子を納めてなるサッシ窓において、窓の気密性を高めると共に、障子の摺動を良好にした
サッシ窓
「【００１４】
　これら各図において、本発明に係る
サッシ窓は、窓開口部Ａに装着された上下枠及び左右の縦枠からなる窓枠１内に、一対の障子１０を引き違い自在に納めてなるものである。
　【００１５】
一実施形態として説明する窓枠１を構成する各枠材は、複合型の枠材であり、ベースとなるアルミ枠２とその屋内側露出部分を覆う樹脂枠３とから構成されている。すなわち、
アルミ枠２は、アルミ上枠２１、アルミ下枠２２、アルミ縦枠２３、２４を方形に枠組みして構成され、樹脂枠３は、樹脂上枠３１、樹脂下枠３２、樹脂縦枠３３、３４を方形に枠組みして構成されている。
　【００１６】
　そして、上記樹脂上枠３１はアルミ上枠２１に、樹脂下枠３２はアルミ下枠２２に、樹脂縦枠３３はアルミ縦枠２３に、樹脂縦枠３４はアルミ縦枠２４に、それぞれ取り付けられている。具体的な取り付け方法については、後述する。なお、上記アルミ枠２はアルミの押し出し型材にて成型され、また樹脂枠３は塩化ビニルやアクリル樹脂等から押し出し成型される。また、これ等の樹脂材には、木材粉等を混入させて、外観上あたかも木材で形成されているかの観を呈することもできる。
　【００１７】
　一方、各障子１０は、上下及び左右の框材を方形に框組みしてなる框体１１内に複層ガラス１２を納めてなる。４は網戸である。框体１１を構成する上框１１ａ、下框１１ｂ、
縦框１１ｃ
の各框材も、上記窓枠１と同様に、アルミ框１３とその屋内側露出部分を覆うように取り付けられた樹脂框１４とで構成されている。
樹脂縦框１４ｃはアルミ縦框１３ｃに
取り付けられている。
「【００３２】
　次に、図１、図３にそって左右の縦枠の構成について説明する。同図における左側のアルミ縦枠２３は、その内周面における略中央に係止突片２３ａを有すると共に、屋内端に上記係止突片２３ａと平行する当接片２３ｂを有する。係止突片２３ａは、その先端が屋内側に曲げられており、後述する樹脂縦枠３３の係止片３３ｂと係合する。樹脂縦枠３３は、アルミ縦枠２３の略半分の見込幅を有しており、係止突片２３ａの屋内側におけるアルミ縦枠２３の内周面を覆うように設置される。
　【００３３】
　樹脂縦枠３３は、アルミ縦枠２３の内周面に当接される枠本体３３ａと、その屋外側から伸びる係止片３３ｂ及びその屋内側から伸びる略Ｌ字片からなるアングル片３３ｃとから構成されている。係止片３３ｂの先端は、上記アルミ縦枠２３の係止突片２３ａに係合し、アングル片３３ｃは、アルミ縦枠２３の当接片２３ｂに重ね合わされるように配置されると共に、その先端は屈曲され、当接片２３ｂの先端に係合する。
　【００３４】
　次に、
係止片３３ｂの屋外側には、タイト材３３ｄを一体的に設けてあり、これを外障子１０Ａの縦框１１ｃに弾性的に当接させて屋内側の気密性を図っている。
縦枠２３側の縦框１１ｃに着脱自在に取り付けたタイト材９２を縦枠２３に設けた戸当りレール８０に摺接自在としてなり
　・・・・
　【００３６】
　次に、図３に示すように、右側の縦枠においてアルミ縦枠２４は、上記した左側の縦枠と同様に、その内周面側に屋内側の障子用の戸当りレール８０を備え、樹脂縦枠３４は、この戸当たりレール８０よりも屋内側のアルミ縦枠２４の内周面を覆うように設置される。
　【００３７】
　また、
樹脂縦枠３４の屋外側には、タイト材３４ａを一体的に設けてあり、これを内障子１０Ｂの縦框１１ｃに弾性的に当接させて屋内側の気密性を図っている。
縦框１１ｃに着脱自在に取り付けたタイト材９２を縦枠２４に設けた戸当りレール８０に摺接自在とし
「
　　　　　　　　　　　　　　　　　　　　　　　　　　　　　　　　　」
　したがって、上記引用文献１には次の発明（以下、「引用発明」という。）が記載されていると認められる。 
（引用発明）
「窓開口部Ａに装着された窓枠１と、該窓枠１に引き違い自在に納められた外障子１０Ａおよび内障子１０Ｂを備える一対の障子と、を有するサッシ窓において、 
　前記窓枠１は、前記窓開口部Ａを閉鎖している状態の前記外障子１０Ａの縦框１１ｃと近接して対向する縦枠と、前記窓開口部Ａを閉鎖している状態の前記内障子１０Ｂの縦框１１ｃと近接して対向する縦枠と、を有し、 
　前記各縦枠は、それぞれアルミ縦枠２３、アルミ縦枠２４と、各アルミ縦枠を覆う樹脂縦枠３３，樹脂縦枠３４と、を有し、 
　前記外障子１０Ａの前記縦框１１ｃおよび前記内障子１０Ｂの前記縦框１１ｃは、それぞれアルミ縦框１３ｃと、該アルミ縦框１３ｃの室内側の面を覆う樹脂縦框１４ｃと、を有し、 
　前記窓開口部Ａを閉鎖している状態の前記外障子１０Ａにおける前記縦框１１ｃの前記アルミ縦框１３ｃと、前記アルミ縦枠２３との間、および前記窓開口部Ａを閉鎖している状態の前記内障子１０Ｂにおける前記縦框１１ｃの前記アルミ縦框１３ｃと、前記アルミ縦枠２４との間のそれぞれに、タイト材９２、９２が配置され、 
　前記窓開口部Ａを閉鎖している状態の前記外障子１０Ａの前記縦框１１ｃの前記樹脂縦框１４ｃおよび前記樹脂縦枠３３には、それぞれに前記タイト材９２よりも室内側において所定の間隔をあけて互いに対向する面状の部位が形成され、 
　前記樹脂縦枠３３の面状の部位には、前記樹脂縦框１４ｃの面状の部位へ突出するタイト材３３ｄが設けられ、 
　前記窓開口部Ａを閉鎖している状態の前記内障子１０Ｂの前記縦框１１ｃの前記樹脂縦框１４ｃおよび前記樹脂縦枠３４には、それぞれに前記タイト材９２よりも室内側において所定の間隔をあけて互いに対向する面状の部位が形成され、 
　前記樹脂縦枠３４の面状の部位には、前記樹脂縦框１４ｃの面状の部位へ突出するタイト材３４ａが設けられ、 
　前記タイト材３３ｄは、樹脂縦框１４ｃに当接させて屋内側の気密性を図り、 
　前記タイト材３４ａは、樹脂縦框１４ｃに当接させて屋内側の気密性を図る、 
 サッシ窓。」 
　２　引用文献２について
　当審拒絶理由通知において引用された引用文献２には、図面とともに次の事項が記載されている。
「【００３３】
  次に、上記樹脂傾斜枠９には、
障子２のガラス面１５に近接する位置まで突出する突出部１６が一体に形成されている。
　【００３４】
  また、金属下枠６と樹脂下枠１０には、図示しないが、その上面の屋外側と屋外側に開口する排水孔が形成され、排水経路が設定されている。下枠に集められた雨水や結露水は上記排水孔から屋外に排出される。
　【００３５】
  上記構成によれば、
樹脂枠１ｂには、
突出部１６が一体に形成されているので、障子２の金属製の框材３、４周辺の空気の対流が抑制され
　上記の記載から、次の事項が記載されていると認められる。
「障子２のガラス面１５に近接する位置まで突出する突出部１６が樹脂枠１ｂに一体的に形成され、障子の金属製の框材３，４周辺の空気の対流が抑制される点。」 
　３　引用文献３について
　当審拒絶理由通知において引用された引用文献３には、図面とともに次の事項が記載されている。
　「【００１８】
　モヘア９０は、図１に一点鎖線で示すように、各障子２０が締め切られた状態において、外障子２０が存在しない領域内に連続して設けられている。
モヘア９０の下端は、内障子２０の室外面２１と外障子２０の室内面２２との間の隙間２３内に位置し、各面２１，２２とは接触していない。
　
　上記の記載から、次の事項が記載されていると認められる。
「モヘア９０の下端が内障子２０の室外面２１と外障子２０の室内面２２とは接触していない点」
第６　対比・判断 
　１　本願発明１について 
（１）対比 
　本願発明１と引用発明とを対比すると、
　引用発明の「窓開口部Ａに装着された窓枠１」は、本願発明１の「開口部に設けられたサッシ枠」に相当し、以下同様に、 
　「該窓枠１に引き違い自在に納められた外障子１０Ａおよび内障子１０Ｂを備える一対の障子」は、「該サッシ枠に引き違い状にスライド可能に支持される室外側サッシ障子および室内側サッシ障子を備えるサッシ障子」に、
　「サッシ窓」は、「サッシ構造」に、それぞれ相当する。 
  
　また、 
「前記窓開口部Ａを閉鎖している状態の前記外障子１０Ａの縦框１１ｃと近接して対向する縦枠」は、「前記開口部を閉鎖している状態の前記室外側サッシ障子の戸先框と近接して対向する第１枠部」に 
「前記窓開口部Ａを閉鎖している状態の前記内障子１０Ｂの縦框１１ｃと近接して対向する縦枠」は、「前記開口部を閉鎖している状態の前記室内側サッシ障子の戸先框と近接して対向する第２枠部」に、 
「アルミ縦枠２３」及び「アルミ縦枠２４」は、第１枠部及び第２枠部の各「金属枠」に、 
　各アルミ縦枠２３，２４を覆う「樹脂縦枠３３」及び「樹脂縦枠３４」は、第１枠部及び第２枠部の各金属枠を覆う「樹脂枠」に、 
　外障子１０Ａ及び内障子１０Ｂの各縦框１１ｃの「アルミ縦框１３ｃ」と「樹脂縦框１４ｃ」は、室外側サッシ障子及び室内側サッシ障子の各戸先框の「金属框」と「樹脂カバー」に、それぞれ相当する。 
  
　また、 
　窓開口部Ａを閉鎖している状態の外障子１０Ａにおける縦框１１ｃのアルミ縦框１３ｃと、アルミ縦枠２３との間、及び窓開口部Ａを閉鎖している状態の内障子１０Ｂにおける縦框１１ｃのアルミ縦框１３ｃと、アルミ縦枠２４との間のそれぞれに配置されている「タイト材９２、９２」は、開口部を閉鎖している状態の室外側サッシ障子における戸先框の金属框と、第１枠部の金属枠との間、および開口部を閉鎖している状態の室内側サッシ障子における戸先框の金属框と、第２枠部の金属枠との間のそれぞれに配置された「パッキン」に相当する。 
　
　また、 
　窓開口部Ａを閉鎖している状態の外障子１０Ａの縦框１１ｃの樹脂縦框１４ｃおよび樹脂縦枠３３に形成された、タイト材９２よりも室内側において「所定の間隔をあけて互いに対向する面状の部位」は、開口部を閉鎖している状態の室外側サッシ障子の戸先框の樹脂カバーおよび第１枠部の樹脂枠の少なくとも一部にパッキンよりも室内側において所定の間隔をあけて互いに対向して形成された「第１対向面」に、 
　樹脂縦枠３３の面状の部位において、樹脂縦框１４ｃの面状の部位へ突出する「タイト材３３ｄ」は、「前記第１枠部の第１対向面および前記室外側サッシ障子の第１対向面の少なくとも一方の第１対向面」に、他方の第１対向面側へ突出して設けられた「第１ヒレ部」に、 
　窓開口部Ａを閉鎖している状態の内障子１０Ｂの縦框１１ｃの樹脂縦框１４ｃおよび樹脂縦枠３４に形成された、タイト材９２よりも室内側において「所定の間隔をあけて互いに対向する面状の部位」は、開口部を閉鎖している状態の室内側サッシ障子の戸先框の樹脂カバーおよび第２枠部の樹脂枠の少なくとも一部にパッキンよりも室内側において所定の間隔をあけて互いに対向して形成された「第２対向面」に、 
　樹脂縦枠３３の面状の部位において、樹脂縦框１４ｃの面状の部位へ突出する「タイト材３４ａ」は、「前記第２枠部の第２対向面および前記室内側サッシ障子の第２対向面の少なくとも一方の第２対向面」に、他方の第２対向面側へ突出して設けられた「第２ヒレ部」に、それぞれ相当する。 
  
　さらに、 
「タイト材３３ｄ」及び「タイト材３４ａ」は、いずれも樹脂縦框１４ｃに当接させて屋内側の気密性を図っているのであるから、本願発明１と同様に空気の流入を抑制しているものといえる。 
  
　そうすると、本願発明１と引用発明との一致点及び相違点は以下のとおりである。
  
＜一致点＞ 
「開口部に設けられたサッシ枠と、該サッシ枠に引き違い状にスライド可能に支持される室外側サッシ障子および室内側サッシ障子を備えるサッシ障子と、を有するサッシ構造において、
　前記サッシ枠は、前記開口部を閉鎖している状態の前記室外側サッシ障子の戸先框と近接して対向する第１枠部と、前記開口部を閉鎖している状態の前記室内側サッシ障子の戸先框と近接して対向する第２枠部と、を有し、
　前記第１枠部および前記第２枠部は、それぞれ金属枠と、該金属枠を覆う樹脂枠と、を有し、
　前記室外側サッシ障子の前記戸先框および前記室内側サッシ障子の前記戸先框は、それぞれ金属框と、該金属框の室内側の面を覆う樹脂カバーと、を有し、
　前記開口部を閉鎖している状態の前記室外側サッシ障子における前記戸先框の前記金属框と、前記第１枠部の前記金属枠との間、および前記開口部を閉鎖している状態の前記室内側サッシ障子における前記戸先框の前記金属框と、前記第２枠部の前記金属枠との間のそれぞれには、パッキンが配置され、
　前記開口部を閉鎖している状態の前記室外側サッシ障子の前記戸先框の前記樹脂カバーおよび前記第１枠部の前記樹脂枠には、それぞれの少なくとも一部に前記パッキンよりも室内側において所定の間隔をあけて互いに対向する第１対向面が形成され、
　前記第１枠部の第１対向面および前記室外側サッシ障子の第１対向面の少なくとも一方の第１対向面には、他方の第１対向面側へ突出する第１ヒレ部が設けられ、
　前記開口部を閉鎖している状態の前記室内側サッシ障子の前記戸先框の前記樹脂カバーおよび前記第２枠部の前記樹脂枠には、それぞれの少なくとも一部に前記パッキンよりも室内側において所定の間隔をあけて互いに対向する第２対向面が形成され、
　前記第２枠部の第２対向面および前記室内側サッシ障子の第２対向面の少なくとも一方の第２対向面には、他方の第２対向面側へ突出する第２ヒレ部が設けられ、
　前記第１ヒレ部は、前記室外側サッシ障子が前記開口部を閉鎖している状態において、前記一方の第１対向面と前記他方の第１対向面との間の空気の流入を抑制し、
　前記第２ヒレ部は、前記室内側サッシ障子が前記開口部を閉鎖している状態において、前記一方の第２対向面と前記他方の第２対向面との間の空気の流入を抑制するサッシ構造。」 
  
＜相違点１＞
　第１ヒレ部材について、本願発明１では、「前記開口部を閉鎖している状態の前記室外側サッシ障子の第１対向面と前記第１枠部の第１対向面との間のみに位置し、第１基端部と第１先端部との間に第１屈曲部を有し、前記第１屈曲部よりも前記第１先端部までの部分が前記第１屈曲部よりも前記一方の第１対向面側に位置するように屈曲する」のに対し、引用発明では、そのように特定されていない点。
＜相違点２＞
　第２ヒレ部材について、本願発明１では、「前記開口部を閉鎖している状態の前記室内側サッシ障子の第２対向面と前記第２枠部の第２対向面との間のみに位置し、第２基端部と第２先端部との間に第２屈曲部を有し、前記第２屈曲部よりも前記第２先端部までの部分が前記第２屈曲部よりも前記一方の第２対向面側に位置するように屈曲する」のに対し、引用発明では、そのように特定されていない点。
　したがって、本願発明１は、引用発明と同一ではないから、本願発明１は、引用文献１に記載された発明ではない。
（２）相違点についての判断 
　ア　相違点１について
　第１ヒレ部材について、相違点１に係る本願発明１の「前記開口部を閉鎖している状態の前記室外側サッシ障子の第１対向面と前記第１枠部の第１対向面との間のみに位置し、第１基端部と第１先端部との間に第１屈曲部を有し、前記第１屈曲部よりも前記第１先端部までの部分が前記第１屈曲部よりも前記一方の第１対向面側に位置するように屈曲する」点は、上記引用文献２、引用文献３のいずれにも記載されていない。
　イ　相違点２について
　第２ヒレ部材について、相違点２に係る本願発明１の「前記開口部を閉鎖している状態の前記室内側サッシ障子の第２対向面と前記第２枠部の第２対向面との間のみに位置し、第２基端部と第２先端部との間に第２屈曲部を有し、前記第２屈曲部よりも前記第２先端部までの部分が前記第２屈曲部よりも前記一方の第２対向面側に位置するように屈曲する」点は、上記引用文献２、引用文献３のいずれにも記載されていない。
　
　したがって、本願発明１は、当業者が、引用発明、引用文献２及び引用文献３に記載された技術的事項に基いて容易に発明をすることができたものであるとはいえない。 
　２　本願発明２〜４について 
　本願発明２〜４は、本願発明１の構成をすべて含み、さらに限定を加えるものであるから、本願発明１と同じ理由により、引用文献１に記載された発明ではなく、また、本願発明２〜４は、引用発明、引用文献２及び引用文献３に記載された技術的事項に基いて、当業者が容易に発明をすることができたものとはいえない。
第７　原査定についての判断 
　原査定で用いた引用文献Ａ，Ｃ，Ｄ（引用文献Ｃは、当審拒絶理由で引用した引用文献３）には、「第１ヒレ部」及び「第２ヒレ部」に関して、少なくとも、「前記第１ヒレ部は、前記開口部を閉鎖している状態の前記室外側サッシ障子の第１対向面と前記第１枠部の第１対向面との間のみに位置し、第１基端部と第１先端部との間に第１屈曲部を有し、前記第１屈曲部よりも前記第１先端部までの部分が前記第１屈曲部よりも前記一方の第１対向面側に位置するように屈曲する」の点、及び「前記第２ヒレ部は、前記開口部を閉鎖している状態の前記室内側サッシ障子の第２対向面と前記第２枠部の第２対向面との間のみに位置し、第２基端部と第２先端部との間に第２屈曲部を有し、前記第２屈曲部よりも前記第２先端部までの部分が前記第２屈曲部よりも前記一方の第２対向面側に位置するように屈曲する」点は、開示されていない。したがって、引用文献Ａ，Ｃ，Ｄに記載された発明は、本願発明１〜４とは、少なくとも、「前記第１ヒレ部は、前記開口部を閉鎖している状態の前記室外側サッシ障子の第１対向面と前記第１枠部の第１対向面との間のみに位置し、第１基端部と第１先端部との間に第１屈曲部を有し、前記第１屈曲部よりも前記第１先端部までの部分が前記第１屈曲部よりも前記一方の第１対向面側に位置するように屈曲する」の点、及び「前記第２ヒレ部は、前記開口部を閉鎖している状態の前記室内側サッシ障子の第２対向面と前記第２枠部の第２対向面との間のみに位置し、第２基端部と第２先端部との間に第２屈曲部を有し、前記第２屈曲部よりも前記第２先端部までの部分が前記第２屈曲部よりも前記一方の第２対向面側に位置するように屈曲する」点で相違し、また、前記の点が本願出願前において周知技術であるともいえないので、本願発明１〜４は、原査定における引用文献Ａ，Ｃ，Ｄに記載された発明に基いて、当業者が容易に発明をすることができたものではない。
　したがって、原査定を維持することはできない。
第８　むすび 
　以上のとおり、原査定の理由及び当審拒絶理由通知における理由によって、本願を拒絶することはできない。 
　他に本願を拒絶すべき理由を発見しない。 
　よって、結論のとおり審決する。